(57)【要約】【課題】携帯情報端末に接着した状態における変形を抑制可能な携帯情報端末支持具を提供する。【解決手段】携帯情報端末１００の背面に接着するとともに携帯情報端末１００を支持する携帯情報端末支持具１は、携帯情報端末１００の背面側に接着する接着板２と、接着板２に挿通される支持部３とを備え、接着板２は、携帯情報端末１００に対向する面に接着材を備える接着層１０と、接着層１０の背面側に配設されるとともに、接着層１０より高い剛性を有する剛性樹脂からなる樹脂層１１と、樹脂層１１の背面側に配設されるとともに、背面に装飾を備える装飾層１２とをさらに備え、支持部３は、接着板２に形成される貫通孔に挿通される基部４と、基部４に回動可能に係合するリング部５とをさらに備える構成である。【選択図】図２
2020182061.tif 000002
【特許請求の範囲】
【請求項１】
携帯情報端末の背面に接着するとともに前記携帯情報端末を支持する携帯情報端末支持具であって、
前記携帯情報端末の背面側に接着する接着板と、
前記接着板に挿通される支持部と、
を備え、
前記接着板は、
前記携帯情報端末に対向する面に接着材を備える接着層と、
前記接着層の背面側に配設されるとともに、前記接着層より高い剛性を有する剛性樹脂からなる樹脂層と、
前記樹脂層の背面側に配設されるとともに、背面に装飾を備える装飾層と、
をさらに備え、
前記支持部は、
前記接着板に形成される貫通孔に挿通される基部と、
前記基部に回動可能に係合するリング部と、
をさらに備える携帯情報端末支持具。
【請求項２】
前記貫通孔は、前記接着板の略中央領域に形成される請求項１に記載の携帯情報端末支持具。
【発明の詳細な説明】
【技術分野】
【０００１】
本発明は、携帯情報端末を支持する携帯情報端末支持具の技術に関する。
【背景技術】
【０００２】
従来、モバイル機器に装着されるアクセサリであって、モバイル機器の後面に付着される固定板と、連結部材により固定板と連結されるリングとを備えるモバイル機器のアクセサリが提供されている（例えば特許文献１）。固定板は、熱可塑性を備える物質で形成される第１板と、粘着性物質で形成される第２板とを結合して形成される。
【先行技術文献】
【特許文献】
【０００３】
【特許文献１】特表２０１６−５１５７８３号公報
【発明の概要】
【発明が解決しようとする課題】
【０００４】
上記特許文献１に開示されるモバイル機器のアクセサリによると、第１板と第２板はいずれもモバイル機器から発生する熱により変形する可能性があり、アクセサリの変形を抑制するという点において改良の余地がある。
【０００５】
そこで本発明は、上記従来の問題点を解決すべく、携帯情報端末に接着した状態における変形を抑制可能な携帯情報端末支持具を提供することを目的とする。
【課題を解決するための手段】
【０００６】
上記目的を達成するため、請求項１にかかる発明は、携帯情報端末の背面に接着するとともに前記携帯情報端末を支持する携帯情報端末支持具であって、前記携帯情報端末の背面側に接着する接着板と、前記接着板に挿通される支持部とを備え、前記接着板は、前記携帯情報端末に対向する面に接着剤を備える接着層と、前記接着層の背面側に配設されるとともに、前記接着層より高い剛性を有する剛性樹脂からなる樹脂層と、前記樹脂層の背面側に配設されるとともに、背面に装飾を備える装飾層とをさらに備え、前記支持部は、前記接着板に形成される貫通孔に挿通される基部と、前機器部に回動可能に係合するリング部とをさらに備えて構成される。
【発明の効果】
【０００７】
本発明にかかる携帯情報端末支持具によると、携帯情報端末から発生する熱による接着板の変形を良好に抑制できる。
【図面の簡単な説明】
【０００８】
【図１】本実施形態における携帯情報端末支持具の構成の一例を示す図である。
【図２】本実施形態における携帯情報端末支持具の構成の一例を示す断面図である。
【図３】本実施形態における携帯情報端末支持具の構成の一例を示す断面図である。
【図４】本実施形態におけるカバー部の構成の一例を示す図である。
【図５】本実施形態における受け部の構成の一例を示す図である。
【発明を実施するための形態】
【０００９】
本発明者は、携帯情報端末の背面に接着する携帯情報端末支持具の剥離を抑制するために鋭意検討した結果、以下の発明に至った。
【００１０】
本発明の一態様である携帯情報端末支持具は、携帯情報端末の背面に接着するとともに前記携帯情報端末を支持する携帯情報端末支持具であって、前記携帯情報端末の背面側に接着する接着板と、前記接着板に挿通される支持具とを備え、前記接着板は、前記携帯情報端末に対向する面に接着材を備える接着層と、前記接着層の背面側に配設されるとともに、前記接着層より高い剛性を有する剛性樹脂からなる樹脂層と、前記樹脂層の背面側に配設されるとともに、背面に装飾を備える装飾層とをさらに備え、前記支持部は、前記接着板に形成される貫通孔に挿通される基部と、前記基部に回動可能に係合するリング部とをさらに備える構成である。
【００１１】
このような構成により、接着層の背面側に高い剛性を有する剛性樹脂からなる樹脂層を備えるため、接着層が携帯情報端末から剥離することを良好に抑制できる。
【００１２】
本発明の一態様である携帯情報端末支持具において、接着板の略中央領域に貫通孔が形成されてもよい。
【００１３】
このような構成により、携帯情報端末支持具の使用に伴って接着板に対して携帯情報端末の反対方向に働く力が、接着板の中央部分にかかるため、接着板の端部が携帯情報端末から剥離することを良好に抑制できる。
【００１４】
本発明の一態様である携帯情報端末支持具において、前記基部は、カバー部と、前記カバー部と係合する受け部とをさらに備え、前記カバー部と前記受け部とが係合する場合に、前記リング部の一部を回動可能に挟持するよう構成されてもよい。
【００１５】
このような構成により、カバー部と受け部とを係合する際に、リング部の一部を挟持して支持部を組み立てることができるため、作業効率を向上させることができる。
【００１６】
本発明の一態様である携帯情報端末支持具において、前記カバー部は、接着板の背面側に配置されるとともに、前記受け部は、前記貫通孔に挿通されるとともに、前記カバー部に係合するよう構成されてもよい。
【００１７】
このような構成により、接着板に形成される貫通孔に受け部を挿通させるのと、カバー部と受け部との係合を同時に行うことができるため、組み立て作業の効率性が向上する。
【００１８】
本発明の一態様である携帯情報端末支持具において、前記カバー部は、底面から立設されるとともに所定位置にスリットが配設される第１周壁をさらに備え、前記受け部は、前記スリットに嵌合する溝部をさらに備え、前記リング部は、一部が開放されるとともに開放されている端部が前記スリットに係合し、前記受け部は、前記リング部の端部が前記スリットに係合する状態において、前記溝部を前記スリットに嵌合させるよう構成されてもよい。
【００１９】
このような構成により、リング部をスリットと溝部とにより挟持し、リング部が基部から離脱するのを抑制できる。
【００２０】
以下、本発明の実施形態の一例を、図面に基づいて詳細に説明する。なお、同一の構成部材に対しては同一の符号を付し、これに関する重複する説明は省略する。
【００２１】
図１は、本発明の一実施形態である携帯情報端末支持具１を示す図である。携帯情報端末支持具１は、携帯情報端末１００の背面に接着する接着板２と、接着板２に形成される貫通孔に挿通される支持部３とを備える。
【００２２】
携帯情報端末支持具１は、携帯情報端末１００の表示画面を有する表面の反対側の背面に接着される。接着板２は接着材を有し、携帯情報端末１００の背面に接着する。
【００２３】
接着板２は、厚さ方向に貫通孔を貫設される。好ましくは、貫通孔は、接着板２の略中央に形成される。
【００２４】
支持部３は、貫通孔に挿通される基部４と、基部４に回動可能に係合するリング部５とを備える。リング部５は、内部に手指を挿通可能に構成される。
【００２５】
リング部５は、外周縁の一部が平坦に形成されてもよい。リング部５の外周縁の一部が平坦に形成されることにより、支持部３は、携帯情報端末１００を台上に載置する際に、この平坦な部分により携帯情報端末１００を台上立てた状態で支持することができる。
【００２６】
図２は、本実施形態における携帯情報端末支持具１の断面図の一例である。図２は、図１のＡ―Ａ’線を通過する厚さ方向の断面図である。接着板２は、携帯情報端末１００の背面に接着される。
【００２７】
接着板２は、携帯情報端末１００の背面に当接する接着層１０と、樹脂層１１と、装飾層１２とを備える。接着層１０と樹脂層１１と装飾層１２とは、互いに接着材料により接着される。
【００２８】
接着層１０は、携帯情報端末１００に対向する面に接着材を備える。接着層１０は、例えば天然ゴムやスポンジなど可撓性を有する材料により構成される。これにより、携帯情報端末１００の当接部分を損傷することを抑制できる。
【００２９】
樹脂層１１は、接着層１０の背面側に接着される。樹脂層１１は、例えばアクリル樹脂など接着層１０より高い剛性を有する剛性樹脂により構成される。接着層１０と携帯情報端末１００との接着部分の接着力が経時劣化により弱まった場合においても、剛性樹脂により構成される樹脂層１１が接着層１０の背面に接着されているため、接着層１０が剥離して背面側に反り返るのを好適に抑制できる。
【００３０】
装飾層１２は、樹脂層１１の背面側に配設される。装飾層１２と樹脂層１１とは接着材料により接着される。装飾層１２は、樹脂層１１との接着面とは異なる面に、意匠等を有する。
【００３１】
接着板２は、略中央領域に厚さ方向に貫通孔が貫設される。基部４は、貫通孔に挿通されて接着板２に係合する。基部４は、カバー部１５と、受け部１６とを備える。カバー部１５は、接着板２の背面側に当接する。
【００３２】
カバー部１５は、円柱状に形成されるとともに、円柱内部に下方が開口する中空構造を有する。カバー部１５は、上面から連続して下方に延びる軸部２０を備える。軸部２０は、貫通孔に挿通されるとともに、接着層１０に接着される留め部１７に挿通される。留め部１７に挿通されると、接着板２からの抜け防止のために軸部２０の先端部が拡張される。
【００３３】
受け部１６は、接着層１０側から接着板２に挿通されて、カバー部１５に当接する。後述するように、カバー部１５に配設される第１スリット３１と、受け部１６に配設される溝部４１とにより、リング部５が回動可能に支持される。リング部５は、携帯情報端末１００に対して所望の角度に調整可能である。
【００３４】
図３は、本実施形態における携帯情報端末支持具１の断面図の一例である。図３は、図１のＢ−Ｂ’線を通る厚さ方向の断面図である。
【００３５】
接着板２の貫通孔は、基部４の受け部１６を挿通可能なサイズおよび形状を有する。受け部１６は、貫通孔に挿通され、カバー部１５に嵌合して止まる。すなわち受け部１６の上端は、カバー部１５に形成される中空に進入する。そして、カバー部１５の上面に受け部１６の上端が当接する。
【００３６】
受け部１６は、下方において外方に突出する溝部４１を備える（図５参照）。溝部４１は、カバー部１５の第１スリット３１に進入する。リング部５の端部が第１スリット３１に支持されている状態で溝部４１が第１スリット３１に進入することにより、リング部５の端部は、第１スリット３１と溝部４１とにより支持される。
【００３７】
受け部１６は、軸部２０を挿通可能な孔を備える。受け部１６が貫通孔に進入すると、カバー部１５に形成される軸部２０が受け部１６の孔に挿通される。受け部１６の上端がカバー部１５の上面に当接するまで進入すると、軸部２０の先端は、受け部１６の孔を過ぎて止まる。
【００３８】
受け部１６の底面から突出する軸部２０の先端は、留め部１７の孔に挿通する。留め部１７と軸部２０とは互いに係合する。係合する方法として、螺子止めされてもよいし、軸部２０の先端を拡張させて抜け止めさせてもよい。
【００３９】
リング部５は、第１スリット３１と受け部１６により支持されている状態で、軸Ｌを中心として回動可能である。
【００４０】
図４は、本実施形態におけるカバー部１５の構成の一例を示す図である。図４（ａ）は、カバー部１５の斜視図である。カバー部１５は、円柱状に形成され、円柱内部に中空構造を有する。カバー部１５は、上面から中空を下方に向かって延びる軸部２０を備える。軸部２０は、カバー部１５の上面における略中心領域から連続して垂直方向に立設される。
【００４１】
カバー部１５は上面端部から垂直方向に連続して立設される第１周壁３０を備える。第１周壁３０は、所定位置に第１スリット３１を備える。第１スリット３１の幅は、リング部５の端部を収容可能である。
【００４２】
本実施形態において、第１スリット３１は、第１周壁３０に複数配設される。好ましくは、第１スリット３１は、カバー部１５の高さ方向における中心軸を挟んで対向し合う位置に配設される。例えば、第１周壁３０において、軸部２０を挟んで互いに対向する位置に第１スリット３１が配設される。
【００４３】
図４（ｂ）は、カバー部１５の断面図の一例である。第１スリット３１は、第１周壁３０の端部から入り込んで形成される。第１スリット３１の幅は、リング部５の端部を収容可能なサイズに構成される。支持部３を組み立てる際に、リング部５の端部を第１スリット３１の開口から第１スリット３１内に進入させ、第１スリット３１の底部にリング部５の端部が当接して支持される。
【００４４】
第１周壁３０の端部は、接着板２の装飾層１２に当接する。軸部２０は、貫通孔内に挿通される。軸部２０は、高さ方向において第１周壁３０を越える部分の軸長さが、接着板２の厚さより長く構成される。すなわち、軸部２０は貫通孔内に挿通されると、先端が接着板２における接着層１０を通過して止まる。
【００４５】
図４（ｃ）は、カバー部１５の底面図の一例である。カバー部１５は、平面視略円形状に構成される。上述したように、軸部２０は平面視略中央部から立設される。軸部２０は、平面視略円形状に構成される。
【００４６】
第１周壁３０と軸部２０との最短距離は、受け部１６が進入可能な長さに構成される。受け部１６は、カバー部１５に嵌合する際に、カバー部１５に形成される中空において、第１周壁３０と軸部２０との間を通過するとともに、受け部１６の上端がカバー部１５の上面に当接して止まる。
【００４７】
図５は、本実施形態における受け部１６の構成の一例を示す図である。図５（ａ）は、受け部１６の斜視図である。受け部１６は、略円筒状に構成される。受け部１６は、第２周壁４０と、第２周壁４０内の所定位置に配設される第２スリット４２と、第２スリット４２から連続して外方に突出する溝部４１とを備える。
【００４８】
受け部１６は、接着板２に形成される貫通孔に挿通されるとともに、接着板２を挟んでカバー部１５と当接する。上述したとおり受け部１６は略円筒状に構成され、平面視第２周壁４０の内側中空は、軸部２０を挿通可能に構成される。
【００４９】
溝部４１は、平面視外方に突出して構成される。溝部４１は、カバー部１５に形成される第１スリット３１に対応する位置に配設される。カバー部１５と受け部１６とが嵌合する際に、溝部４１は第１スリット３１の開口から進入する。第２周壁４０の上端がカバー部１５の上面に当接して止まると、溝部４１は、リング部５の端部を支持する。これにより、リング部５は、第１スリット３１と溝部４１により支持されるため、第１スリット３１からリング部５が抜け出すのを防止できる。
【００５０】
図５（ｂ）は、受け部１６の断面の一例を示す図である。図５（ｂ）は、図５（ａ）におけるＣ−Ｃ’線を通過する高さ方向の断面図である。第２周壁４０は、接着板２に形成される貫通孔の厚さと略同じサイズの高さに構成される。
【００５１】
第１スリット３１に対応する位置に溝部４１が配設される。溝部４１は、第２周壁４０に設けられる第２スリット４２の閉塞される端部から連続して形成される。溝部４１は、上方が半円状に窪んだ形状を有する。これにより、リング部５を第１スリット３１とともに挟持する際に、リング部５の形状にフィットするため、リング部５が円滑に回動可能となる。
【００５２】
第２スリット４２の幅は、リング部５の端部の断面直径より広く構成される。これにより、リング部５が円滑に回動可能となる。
【００５３】
図５（ｃ）は、受け部１６の上面図である。受け部１６は、平面視略円形に構成されるとともに、中心軸を挟んで対向する位置に溝部４１が形成される。第２周壁４０の内側は中空構造に構成される。カバー部１５の軸部２０は、中空に挿通される。
【００５４】
第２周壁４０は、カバー部１５の第１周壁３０の内側に進入する。第２周壁４０の上端部は、カバー部１５の上面に当接する。
【００５５】
カバー部１５と受け部１６とが嵌合するとともに、リング部５の端部を支持することにより、支持部３が構成される。本実施形態において、カバー部１５の第１スリット３１にリング部５の端部を収容した状態で、受け部１６を嵌合させることにより、支持部３を組み立てることができ、組み立て作業を簡素化できる。
【００５６】
（変形例）
本発明の一実施形態について説明したが、本発明はこれに限定されるものではない。上述した実施形態において、樹脂層１１の背面に装飾層１２を接着する構成を説明したが、これとは異なり、装飾層１２を備える必要はない。
【００５７】
また、上述した実施形態において、リング部５が開口部を有する構成を説明したが、リング部５は開口部を備えることなく、一連であってもよい。
【符号の説明】
【００５８】
１      携帯情報端末支持具
２      接着板
３      支持部
４      基部
５      リング部
１０    接着層
１１    樹脂層
１２    装飾層
１００  携帯情報端末
【図１】
2020182061.tif 000003
【図２】
2020182061.tif 000004
【図３】
2020182061.tif 000005
【図４】
2020182061.tif 000006
【図５】
2020182061.tif 000007
【手続補正書】
【提出日】令和2年1月27日(2020.1.27)
【手続補正１】
【補正対象書類名】特許請求の範囲
【補正対象項目名】全文
【補正方法】変更
【補正の内容】
【特許請求の範囲】
【請求項１】
携帯情報端末の背面に接着するとともに前記携帯情報端末を支持する携帯情報端末支持具であって、
前記携帯情報端末の背面側に接着する接着板と、
前記接着板に挿通される支持部と、
を備え、
前記接着板は、
前記携帯情報端末に対向する面に接着材を備える接着層と、
前記接着層の背面側に配設されるとともに、前記接着層より高い剛性を有する剛性樹脂からなる樹脂層と、
前記樹脂層の背面側に配設されるとともに、背面に装飾を備える装飾層と、
をさらに備え、
前記支持部は、
前記接着板に形成される貫通孔に挿通される基部と、
前記基部に回動可能に係合するリング部と、
をさらに備え、
前記基部は、
前記接着板の背面側に配置され、前記リング部を支持するカバー部と、
前記接着板の表面側に配置され、前記カバー部と係合する受け部と、
をさらに備え、
前記カバー部は、
底面から立設されるとともに所定位置にスリットが配設される第１周壁と、
前記底面から垂直方向に立ち上がる軸部と、
をさらに備え、
前記受け部は、
略円筒状に構成される第２周壁と、
前記第２周壁の所定位置から外方に突出し、前記スリットに嵌合する溝部と、
をさらに備え、
前記第２周壁が前記第１周壁の内側に進入して前記カバー部と前記受け部とが係合する際に、前記リング部を前記スリットと前記溝部により回動可能に挟持するとともに、前記軸部が前記第２周壁の内側に挿通される携帯情報端末支持具。
【請求項２】
前記貫通孔は、前記接着板の略中央領域に形成される請求項１に記載の携帯情報端末支持具。
【手続補正２】
【補正対象書類名】明細書
【補正対象項目名】０００６
【補正方法】変更
【補正の内容】
【０００６】
上記目的を達成するため、請求項１にかかる発明は、携帯情報端末の背面に接着するとともに前記携帯情報端末を支持する携帯情報端末支持具であって、前記携帯情報端末の背面側に接着する接着板と、前記接着板に挿通される支持部とを備え、前記接着板は、前記携帯情報端末に対向する面に接着剤を備える接着層と、前記接着層の背面側に配設されるとともに、前記接着層より高い剛性を有する剛性樹脂からなる樹脂層と、前記樹脂層の背面側に配設されるとともに、背面に装飾を備える装飾層とをさらに備え、前記支持部は、前記接着板に形成される貫通孔に挿通される基部と、前機器部に回動可能に係合するリング部とをさらに備え、前記基部は、前記接着板の背面側に配置され、前記リング部の一部を支持するカバー部と、前記接着板の表面側に配置され、前記カバー部と係合する受け部とをさらに備え、前記カバー部は、底面から立設されるとともに所定位置にスリットが配設される第１周壁と、前記底面から垂直方向に立ち上がる軸部とをさらに備え、前記受け部は、略円筒状に構成される第２周壁と、前記第２周壁の所定位置から外方に突出し、前記スリットに嵌合する溝部とをさらに備え、前記第２周壁が前記第１周壁の内側に進入して前記カバー部と前記受け部とが係合する際に、前記リング部を前記スリットと前記溝部により回動可能に挟持するとともに、前記軸部が前記第２周壁の内側に挿通されて構成される。
【手続補正３】
【補正対象書類名】明細書
【補正対象項目名】０００７
【補正方法】変更
【補正の内容】
【０００７】
本発明にかかる携帯情報端末支持具によると、携帯情報端末から発生する熱による接着板の変形を良好に抑制できるとともに、組み立て作業を簡素化できる。
【手続補正４】
【補正対象書類名】明細書
【補正対象項目名】００１０
【補正方法】変更
【補正の内容】
【００１０】
本発明の一態様である携帯情報端末支持具は、携帯情報端末の背面に接着するとともに前記携帯情報端末を支持する携帯情報端末支持具であって、前記携帯情報端末の背面側に接着する接着板と、前記接着板に挿通される支持具とを備え、前記接着板は、前記携帯情報端末に対向する面に接着材を備える接着層と、前記接着層の背面側に配設されるとともに、前記接着層より高い剛性を有する剛性樹脂からなる樹脂層と、前記樹脂層の背面側に配設されるとともに、背面に装飾を備える装飾層とをさらに備え、前記支持部は、前記接着板に形成される貫通孔に挿通される基部と、前記基部に回動可能に係合するリング部とをさらに備え、前記基部は、前記接着板の背面側に配置され、前記リング部の一部を支持するカバー部と、前記接着板の表面側に配置され、前記カバー部と係合する受け部とをさらに備え、前記カバー部は、底面から立設されるとともに所定位置にスリットが配設される第１周壁と、前記底面から垂直方向に立ち上がる軸部とをさらに備え、前記受け部は、略円筒状に構成される第２周壁と、前記第２周壁の所定位置から外方に突出し、前記スリットに嵌合する溝部とをさらに備え、前記第２周壁が前記第１周壁の内側に進入して前記カバー部と前記受け部とが係合する際に、前記リング部を前記スリットと前記溝部により回動可能に挟持するとともに、前記軸部が前記第２周壁の内側に挿通される構成である。
【手続補正５】
【補正対象書類名】明細書
【補正対象項目名】００１１
【補正方法】変更
【補正の内容】
【００１１】
このような構成により、接着層の背面側に高い剛性を有する剛性樹脂からなる樹脂層を備えるため、接着層が携帯情報端末から剥離することを良好に抑制できるとともに、組み立て作業を簡素化できる。